(57)【要約】      （修正有）【課題】テレビジョンの画面上に周辺機器の制御機能アイコンを表示して、仮想リモートコントローラを実現する。【解決手段】制御機能アイコンは、テレビジョンスクリーンに重なるように大きなフォントで高輝度なアイコンとして表示される。多くの図形のアイコンセットが、リモートコントローラを持つシステム内のそれぞれのデバイスの一つに割り当てられる。ユーザは、制御しようとするデバイスに対する一連のアイコンを選択することができ、希望の機能を選択することができる。そして、制御機能コードを、制御しようとするデバイスの赤外線受信機に送る。この仮想リモートコントローラは、不揮発性メモリでテレビジョン内に保持される。【選択図】図４
2010004542.tif 000002
【特許請求の範囲】
【請求項１】
テレビジョンを通して非テレビジョン娯楽デバイスを制御する方法であって、
テレビジョンのメモリ内に少なくとも一組の図形アイコンを定義するステップと、
前記アイコンが一緒に表示され、前記テレビジョンメモリに格納されるようにラベルの下に一連の図形アイコン各々を分類するステップと、
非テレビジョンリモートコントロールデバイスから送信される、特定の非テレビジョンデバイスを示す機能コードに、一連の図形アイコンの各々をマッピングするステップと、
前記非テレビジョンデバイスの機能の各々と選択した図形アイコンを関連させるステップと、
ユーザからの要求によって、テレビジョンディスプレイ上に選択した図形アイコン群を表示するステップと、
前記図形アイコン群の内の一つがテレビジョンスクリーン上で選択されたとき、非テレビジョンデバイスの機能コードを、前記テレビジョンに関連した赤外線送信デバイスを介して、送信するステップと、を含み、
前記非テレビジョン機能コードの送信機能が動作することにより、非テレビジョン娯楽デバイスが選択した機能を実行することを特徴とする方法。
【請求項２】
ユーザからの要求によって表示される前記図形アイコンは、高輝度で、高コントラストの色で表示されることを特徴とする請求項１に記載の方法。
【請求項３】
一つのラベルの下に分類したアイコンは、その分類したアイコンを一つの非テレビジョンデバイスに関連付けることを特徴とする請求項１に記載の方法。
【請求項４】
前記テレビジョンメモリは、不揮発性であることを特徴とする請求項１に記載の方法。
【請求項５】
前記テレビジョンメモリは、一組の図形アイコン各々に対して、連続的な領域を確保するメモリであることを特徴とする請求項４に記載の方法。
【請求項６】
前記関連させるステップは、
送信された赤外線機能コードを取得するステップと、
前記取得したコードを前記選択した図形アイコンに関連付けるステップと、
更新した関連性をテレビジョンメモリに格納するステップと、
によって実行されることを特徴とする請求項１に記載の方法。
【請求項７】
予め決められた一組の図形アイコンは、選択され、予め決められたものと異なる一組の非テレビジョン機能コードに関連付けられることができることを特徴とする請求項１に記載の方法。
【請求項８】
一組の図形アイコンに対する図形ラベル特定部は、修正され、前記一連の図形アイコンが割り当てられる非テレビジョン娯楽デバイスの名前に反映させることができることを特徴とする請求項１に記載の方法。
【請求項９】
テレビジョンを通して非テレビジョン娯楽デバイスを制御するシステムは、
テレビジョン内で動作して、図形アイコンのセットをテレビジョンディスプレイ上に重ねて表示するプロセッサと、
ディスプレイの画像アイコンのセットを格納する、テレビジョンデバイス内のメモリ領域と、
非テレビジョン娯楽デバイスに対する制御機能及びそれらのラベルを表示する少なくとも一組の画像アイコンと、
前記メモリに格納するために非テレビジョン娯楽デバイスＩＦＲ制御コードを取得する取得機能部と、
選択された図形ディスプレイアイコンを、取得された前記メモリ内にある非テレビジョン娯楽デバイスのＩＦＲ制御コードに関連付ける関連付け機能部と、
ユーザが少なくとも一組の表示された図形アイコンを選択し、さらに、図形アイコンのうちの一つを選択することを可能にする選択機能部と、
ユーザが選択した図形アイコンに関連付けられた非テレビジョン娯楽デバイスのＩＦＲ制御コードを送信するＩＦＲ送信デバイスと、
を含み、
送信したＩＦＲ制御コードが動作することによって、非テレビジョン娯楽デバイスが選択した機能を実行することを特徴とするシステム。
【請求項１０】
図形ディスプレイアイコンは、高輝度で、高コントラストの色でテレビジョンディスプレイ上に表示されることを特徴とする請求項９に記載のシステム。
【請求項１１】
前記メモリ領域は、不揮発性であることを特徴とする請求項９に記載のシステム。
【請求項１２】
前記メモリ領域は、一連の図形ディスプレイアイコン各々に対して連続的なメモリ領域であることを特徴とする請求項１０に記載のシステム。
【請求項１３】
予め定義された一連の図形ディスプレイアイコンが以前の定義と異なる一組の非テレビジョン機能コードに再び割り当てられることができる請求項９に記載のシステム。
【請求項１４】
一連の図形アイコンに対する図形ラベル特定部が予め決められた非テレビジョンデバイスの名前の一覧表から選択されることを特徴とする請求項９に記載のシステム。
【請求項１５】
テレビジョンのプロセッサを通して非テレビジョン娯楽デバイスを制御する命令を格納するコンピュータ読み取り可能な媒体であって、前記命令は、
テレビジョンメモリ内にある少なくとも一組の図形アイコンを定義するステップと、
アイコンが一緒に表示され、前記テレビジョンのメモリに格納されるように、ラベルの下での一組の図形アイコン各々を分類するステップと、
一組の図形アイコン各々を、特定の非テレビジョンデバイスの機能を表示する機能コードにマップ化し、非テレビジョンリモートコントロールデバイスから前記コードが送信されるようにするステップと、
前記非テレビジョンデバイスの機能各々を選択した図形アイコンに関連付けるステップと、
ユーザからの要求によって、テレビジョンディスプレイ上に選択した図形アイコン群を表示するステップと、
前記図形アイコンの一つがテレビジョンスクリーン上で選択されるとき、前記テレビジョンに関連した赤外線通信デバイスを介して、非テレビジョンデバイスの機能コードを通信するステップと、
を含み、
前記非テレビジョン機能コードが動作することにより、非テレビジョン娯楽デバイスが選択した機能を実行させるものである
ことを特徴とするシステム。
【請求項１６】
ユーザの要求によって表示された図形アイコンは、高輝度で、高コントラストの色でテレビジョンディスプレイ上に表示されることを特徴とする請求項１５に記載のコンピュータ読み取り可能な媒体。
【請求項１７】
一つのラベルの下にある分類したアイコンは、分類したアイコンを一つの非テレビジョンデバイスに関連付けることを特徴とする請求項１５に記載のコンピュータ読み取り可能な媒体。
【請求項１８】
前記テレビジョンメモリは、不揮発性であることを特徴とする請求項１５に記載のコンピュータ読み取り可能な媒体。
【請求項１９】
前記テレビジョンメモリは、一組の図形ディスプレイアイコン各々に対して連続的なメモリ領域であることを特徴とする請求項１８に記載のコンピュータ読み取り可能な媒体。
【請求項２０】
前記関連付けるステップは、
送信された赤外線機能コードを取得するステップと、
前記取得したコードを前記選択した図形アイコンに関連付けるステップと、
更新した関連性をテレビジョンメモリに格納するステップと、
によって実行されることを特徴とする請求項１５に記載のコンピュータ読み取り可能な媒体。
【請求項２１】
予め決められた一組の図形アイコンは、選択され、予め決められたものと異なる一連の非テレビジョン機能コードに関連付けられることができることを特徴とする請求項１５に記載のコンピュータ読み取り可能な媒体。
【請求項２２】
一組の図形アイコンに対する図形ラベル特定部は、修正され、前記一連の図形アイコンがマップ化される非テレビジョン娯楽デバイスの名前に反映させることができることを特徴とする請求項１５に記載のコンピュータ読み取り可能な媒体。
【発明の詳細な説明】
【技術分野】
【０００１】
この開示された特許書類の一部には、著作権の保護対象となる内容が含まれている。特許商標庁において見ることができる特許出願、或いは、特許のファイル又は記録を複製しても、著作権者はこれに異議を申し立てないが、それ以外については、全ての著作権を留保する。商標は、権利者各々の財産権ある。
【背景技術】
【０００２】
娯楽コンテンツを表現するための家庭で用いられる音声デバイス及び映像デバイスは、事実上全て、リモートコントロールデバイスを備え、囲まれた場所内では、デバイスのユーザがいる場所に関係なく、そのデバイスを制御することができる。リモートコントロールデバイスは、典型的には、赤外（ＩＦＲ）周波数のコマンド信号をリモートコントローラからデバイスのＩＦＲ受信機に送信する。デバイスによって取得されたコマンド信号は、システムのユーザが望む機能を実行するために用いられる。多くの場合には、中程度の複雑さを持った複数のデバイスからなるシステムのユーザでさえ、各々が別々のデバイスに対応し、装置の同じオーディオビジュアルシステムグループ内で全て動作する多数のリモートコントローラを集めることになる。
【発明の概要】
【発明が解決しようとする課題】
【０００３】
本発明は、多くの異なる態様の実施形態によって実施できる余地があるが、本発明は、詳細に特定された実施形態によって、図面に示され、ここに記載されており、そのような実施形態についてのここでの開示は、本発明の原理の例とみなされるべきであり、発明を、図面に示され、ここに記載された特定の実施形態に限定する意図がないことが理解できる。以下の詳細な説明において、参照番号は、図面の複数の表示において、同様の部分、類似の部分若しくは関連する部分を記載するために用いられる。
【０００４】
ここで用いられる“一”という語は、一又は一以上と定義される。ここで用いられる“複数の”という語は、二又は二以上と定義される。ここで用いられる“別の”という語は、少なくとも二又はそれ以上と定義される。ここで用いられる、“含む”及び／又は“持つ”、という語は、備える（すなわち広義の用語）と定義される。ここで用いられる、“結合する”という語は、接続すると定義されるが、必ずしも直接的、機械的でなくてもよい。
【０００５】
この書類全体において、“一実施形態”、“ある実施形態”、“実施形態”若しくは、それらの類義語は、実施形態に関連して記載された特定の特性、構造若しくは特徴が、本発明の少なくとも一つの実施形態に含まれることを意味している。したがって、そのような言い回しによる表現、若しくは、この発明の詳細な説明全体における様々な場所にある表現は、必ずしも全て同じ実施形態に言及しているわけではない。さらに、特定の特性、構造若しくは特徴は、いずれかの適切な方法で、非限定に一又はそれ以上の実施形態と結び付けることができる。
【０００６】
ここで用いられる、“又は”、という語は、包括的な意味に、すなわち、いずれか一つ若しくは何らかの組み合わせを意味する、と解釈すべきものである。したがって、“Ａ、Ｂ又はＣ”は、以下の、Ａ、Ｂ、Ｃ、Ａ及びＢ、Ａ及びＣ、Ｂ及びＣ、Ａ及びＢ及びＣのいずれかを意味する。この定義の例外は、要素、機能、ステップ若しくは行為が、何らかの点で、互いに排他的な場合のみである。
【０００７】
音声娯楽デバイス及び映像娯楽デバイスを中程度の複雑さで集積したものの場合でさえ、ユーザは、特定のデバイスの各々に対応して多くのリモートコントロールデバイスを持つ必要があることがわかっている。このことは、多くのグループの中から現在使うデバイスを制御するリモートコントロールを探すときに、フラストレーションを感じさせるものとなり、特に、リモートコントロールが紛失し、若しくは置き間違いをしているときに、その感じが強くなる。これらのコントローラの全てを一つの源に集めることは、ユーザにとって役立つであろう。これらの問題に対処する特定の実施形態を以下の開示に示す。
【０００８】
複数のリモートコントロールデバイスの使用が、フラストレーション及び問題を発生させることになる理由は、単に特定のデバイスを紛失するというだけではない。多くの場合において、完成された娯楽システムは、鑑賞目的で映像内容のコントラストを向上させるために、光の強度を低くした部屋に配置される。この低い光の強度は、リモートコントローラに設置された小さいキーに描かれた図形を特定することを困難にし、特にリモートコントロールの面積が小さい場合には特定が困難になり、娯楽室内でコントローラを使うことを困難にする。通常の光の強度であっても、キーグラフィックを見分けられるほど視力が十分に強くない年配のユーザにとっては、いっそう不利益となる。市場には、ユーザが一群のリモートコントローラの全ての機能を一つのデバイスに集中させることを可能にするデバイスが存在するが、このデバイスは、使用方法がいっそう複雑になっており、かつ、低い光の強度及びユーザの悪い視力に関連する問題の全てを持っている。多くの“共通リモートコントロール”デバイスは、一つの物理的デバイスによって、様々な異なるコントローラに対する全ての制御機能を提供しなければならないため、デバイス上の制御機能キーの数が多い。それゆえ、汎用性のリモートコントロールデバイスは、中程度から大規模の娯楽システムにおけるリモートコントロールデバイスの数を減らすために役立つであろうが、共通リモートコントロールデバイスによって置き換えることができるデバイスの数に明確な限界が存在し、低い光強度の環境において、デバイスを使う際の問題を解決することにはならない。
【０００９】
いくつかの実施形態において、以下に説明する仮想的リモートコントローラは、多くのリモートコントロールデバイスに代えて一つ源によって信号を制御するという問題に対処し、異なるコマンド図形を持つ様々な一連の制御キーを管理し、ホームシアターのような娯楽鑑賞場所、若しくは、周囲を囲まれた場所内のその他の鑑賞場所における低い光強度の問題を解決するものである。
【課題を解決するための手段】
【００１０】
娯楽システムは、多くの場合、テレビ、ＶＣＲ、ＤＶＤプレイヤー、ＣＤプレイヤー、ケーブルテレビボックス及びその他のデバイスのような娯楽デバイスを多く備えており、それぞれの娯楽デバイスには、そのデバイスに関連するリモートコントローラが付いている。このことは、多くの場合、システム全体を操作するために多種多様なリモートコントローラが必要であるので、混乱を招く。テレビジョンシステム上に制御機能アイコンを表示するシステム及び方法をここに提示する。制御機能アイコンは、テレビジョン画面に重なるように、大きなフォントで高輝度なアイコンとして表示される。整頓された多くの図形のアイコンセットが存在する。つまり、システム内のリモートコントローラを持つそれぞれのデバイスに対応して、一組のアイコンセットが存在する。次いで、ユーザは、制御しようとするデバイスに対応する一組のアイコンを選択することができ、希望の機能を選択することができる。そして、制御機能コードを制御しようとするデバイスの赤外線受信機に送ることができる。この仮想リモートコントローラを、テレビジョン内の不揮発性メモリに保持し、娯楽システム内の各非テレビジョンデバイスを組み込むように拡張して、視覚的なアイコンによってテレビジョンディスプレイ上で全部を制御できるようにすることができる。
【図面の簡単な説明】
【００１１】
目的及び利点と共に構成と動作方法を説明する特定の実例となる実施形態については、添付した図面に関連して以下に示された詳細な説明を参照することによって、最もよく理解することができる。
【図１】本発明の特定の実施形態における一組の制御図形である。
【図２】本発明の特定の実施形態における仮想リモートコントローラの制御図形の配置である。
【図３】本発明の特定の実施形態におけるビデオモニタの画面上にあるＶＲＣ制御図形の表示である。
【図４】本発明の特定の実施形態におけるＶＲＣの学習モードに関する流れ図である。
【図５】本発明の特定の実施形態におけるＶＲＣの動作モードに関する流れ図である。
【００１２】
ここで、図１を参照すると、一連の非テレビジョン娯楽デバイスの一つに対する一組の典型的な制御機能を表す一組の基本図形が示されている。典型的な実施形態においては、これらの基本図形の形状は、選択することによって、任意の制御コマンドを提示するように構成される。例えば、制御図形がテレビジョンモニタ上に可視化されて、ユーザによって選択されたとき、電源オン／オフ１００基本図形を選択する場合には、制御信号が送られ、トグル的な手法で電源をオン若しくはオフにする。特定の実施形態においては、利用可能な一組の基本図形は、動作１０４、一時停止１０８、停止１１２、先送り１１６、章の先送り１２０、巻き戻し１２４、章の巻き戻し１２８、高速先送り１３２、高速巻き戻し１３６、及び、開く／閉じる／取り出し１４０を含むものとすることができる。それぞれの制御基本図形は、テレビジョンモニタにある不揮発性メモリ内で定義され、ユーザの要求に応じて表示される。仮想リモートコントローラによって制御されるように構成されるそれぞれのデバイスが、別々のメモリ領域、及び、別々の一組の制御図形を持つ。特定のデバイスがテレビジョンモニタ上のメニューから選択されたときに、この制御図形が表示される。
【００１３】
ここで、図２を参照すると、この図は、複数のＶＲＣコマンド図形をユーザに表示することができる特定の実施形態を示す。ＶＲＣ１ ２００は、ユーザが後に使用する図形キーを定義するための非テレビジョン娯楽デバイスに対するラベルである。ユーザが、テレビジョンリモートコントロール上にあるＶＲＣモードを選択するとき、図形キーでラベルされた一組のＶＲＣが、テレビジョン画面に表示される。ユーザは、すぐに使用するために画面上のいずれかのＶＲＣラベルを選択してもよいし、入力したい新しい娯楽デバイスを定義するために、新しいＶＲＣラベルを選択してもよい。この図において、図形キーのセットでラベルされた二つの代表的なＶＲＣをＶＲＣ１ ２００及びＶＲＣ２ ２０８と表示する。ユーザは、任意の非テレビジョンデバイスを用いるために、いずれかを選択することができる。例えば、ユーザは、ＶＲＣ１ ２００を選択し、次いで、テレビジョンリモートコントローラによって、学習モードを選択することができる。テレビジョン内にあるＶＲＣ制御モジュールは、学習モードを入力し、学習のために図形キーのセット２０４を起動する。次いで、ユーザは、図形キーのセット２０４を用いて制御したい特定のデバイスに対応するリモートコントローラに向けて、該リモートコントローラをテレビジョン上で指し示す。ユーザは、次いで、テレビジョン上で、娯楽デバイスのリモートコントロール上にある同様にラベルされたキーの各々を指し示しながら、該キーを押す。ＶＲＣソフトウェアモジュールは、それぞれの制御キーに対して、順にＩＦＲコードを取得し、ＶＲＣ１ ２００のために用意された不揮発性メモリ内にある図形制御キーにそのコードを対応させる。
【００１４】
全ての制御キーが、テレビジョンによって取得された時点で、ユーザは、デバイス名のポップアップ画面からＶＲＣ１ ２００のためのラベルを修正するように指示される。ユーザは、テレビジョン上のＶＲＣ１ ２００の図形キーのセットによって制御できるデバイス名を選択し、ラベルをそのデバイス名に変更することができる。この方法によって、ユーザは、一目でＶＲＣ図形キーのセットからどのデバイスを制御するかを決定することができ、デバイス名を通して、所望するデバイスを選択することができる。
【００１５】
ここで、図３を参照すると、この図は、ユーザが、仮想リモートコントローラの動作機能を用いて制御する非テレビジョンデバイスを選択するときに、テレビジョン画面上に表示される図形制御キーの典型的な図である。この図が示すように、図形キーのセットは、大きく、高コントラストの色をもち、年配のユーザにとって、容易に図形制御キーを見ることができるようにし、全てのユーザにとって、テレビジョン画面に現在映し出すことができるいずれの場面であっても、すぐに見ることができるようにする。その上、画面図形制御キーの高コントラストの色をもち、低い光の強度の視聴室においても簡単に図形制御キーを見ることができるようにする。
【００１６】
本発明を用いた特定の実施形態においては、ＶＲＣの動作機能をユーザが選択すると、ユーザが選択できるように特定の非テレビジョンデバイスに対応した図形キーのセットがディスプレイに表示される。特定の実施形態においては、この図形キーのセットは、最もよく使用されるキーのみで構成され、ユーザの利便性を最大化し、ユーザによって整列する必要がある機能の数を最小化し、効率的に非テレビジョン娯楽デバイスを動作することができる。この動作パターンは、本明細書全体に渡って、ＶＲＣ図形キーのセットを利用において一貫性をもった状態で維持される。
【００１７】
ここで、図４を参照すると、この図は、ＶＲＣ学習モードの典型的な実施形態を示す。このモードを開始するために、ユーザは、物理的リモートコントローラに構築された仮想リモートコントローラ機能を持つテレビジョンリモートコントローラを利用する４００。ユーザがＶＲＣ機能を選択した場合には、ＶＲＣソフトウェアモジュールが、テレビジョン画面上に一連の図形機能キーのセットを、各々に対応するラベル（図２参照）と共に表示する。ユーザは、下向き三角形
2010004542.tif 000003
を押し、続いて行われる次のＶＲＣラベルを強調表示することができる。このユーザは又、所望の図形キーセットを通り過ぎたため、所望のＶＲＣラベルを選択するのに一連のラベルに沿って戻る必要がある場合には、上向き三角形
2010004542.tif 000004
を押すことができる４０４。未使用のＶＲＣキーのセットラベルを選択する場合には、ＶＲＣソフトウェアモジュールが学習モードを入力する４２０。
【００１８】
典型的な実施形態においては、学習モードを入力することによって４１６、ユーザは、ＶＲＣ図形キーのセットの図形キーを、非テレビジョンリモートコントロールデバイス上にある物理的な機能キーに割り当てることができる。次いで、ユーザは、ＶＲＣの図形キーのセットによって学習された機能にアクセスするために、これ以上、非テレビジョンデバイスの物理的リモートコントローラを使用する必要がないように、この割り当てられた機能は、テレビジョン内にある選択したＶＲＣ図形キーのセットに割り当てられた不揮発性のメモリに保持される。
【００１９】
学習モードにおかれた状態では、ユーザは、テレビジョン上のテレビジョンリモートコントロールを指し示し、そして、右向き三角形キー
2010004542.tif 000005
及び左向き三角形キー
2010004542.tif 000006
を用いて、ユーザが、非テレビジョンデバイスのリモートコントロールの機能コードにマッピングしようとしている図形キーを、選択された図形キーのセット内で強調表示する４２４。ユーザは、次いで、テレビジョンデバイスの物理的リモートコントロールをテレビジョンセットに向け、学習しようとする機能キーを押す４２８。制御コードが、物理的デバイスのリモートコントローラから発せられ、テレビジョンセット内にあるＶＲＣソフトウェアモジュールによって取得される。この時点で、このコードが、選択したＶＲＣラベルとしてテレビジョン画面に表示されたＶＲＣ図形機能キーにマッピングされる。ユーザは、テレビジョン上に表示されるＶＲＣラベルから制御しようとする非テレビジョンデバイスの全ての機能に対して、このプロセス４３２を繰り返して行うことができる。
【００２０】
非テレビジョン娯楽デバイスの所望の機能の全てが、選択されたＶＲＣラベル内にある図形キーにマッピングされた状態で、ユーザは、テレビジョンに表示されるＶＲＣラベルのラベルを変更することができる４３６。ユーザには、新しいラベルを選択する４４０ための言葉のリストが提示される。典型的な実施形態においては、言葉のリストには、例えば、ＤＶＤ、ＶＣＲ、ＲＥＣＥＩＶＥＲ、ＣＡＢＬＥＢＯＸ、ＡＭＰＬＩＦＩＥＲ及びその他のあまり知られてない娯楽デバイスのような、多くの流通している非テレビジョンデバイスの名前が含まれる。ユーザは、もう一度、テレビジョン用物理的リモートコントロールの下向き三角形
2010004542.tif 000007
及び上向き三角形
2010004542.tif 000008
機能を利用し、ラベル名のリストに沿って移動する。所望のラベルネームが強調表示されているとき、ユーザは、“Ｅｎｔｅｒ”キーを押すことによって、該ラベルネームを選択することができる。この動作により、一般的なラベルは、ＶＲＣソフトウェアのモジュールが学習したばかりのデバイスに対して選択されたラベルの名前と置き換えられる。
【００２１】
ユーザは、テレビジョンリモートコントローラ４４４の“ｒｅｔｕｒｎ”機能キー若しくは“Ｍｅｎｕ”機能キーのいずれかを押すことによってＶＲＣを終了ことができる。このことにより、ユーザがこの特定のキーを押して、学習モードを終了し、終了するとすぐに、自動的にいずれの変更も不揮発性メモリに記録される。
【００２２】
図５を参照すると、この図は、一又はそれ以上のＶＲＣ図形キーのセットがテレビジョンによって学習された後のＶＲＣの動作に関する典型的な実施形態を表示する。ユーザは、テレビジョンリモートコントロールを用いるだけで、定義され、ラベル付けされた図形キーのセットを簡単に呼び出すことができる５００。ユーザは、下向き三角形
2010004542.tif 000009
を押し、連続する次のＶＲＣラベルを強調表示することができる。ユーザは又、所望の図形キーのセットを通過してしまったため、所望のＶＲＣラベルを選択するために、ユーザが一連のラベルを通って戻る必要がある場合には、上向き三角形
2010004542.tif 000010
押すことができる５０４。所望の非テレビジョンデバイスにラベル付けされたＶＲＣ図形キーのセットが強調表示された状態で、ユーザは、左三角
2010004542.tif 000011
及び右三角
2010004542.tif 000012
キーを押して、所望の機能が強調表示されるように、図形機能キーのリストを探索することができる５０８。次いで、ユーザは、単にエンターキーを押すだけで、機能を動作させ、制御のための固有のＩＦＲコードを選択したデバイスに送り、選択したデバイスが所望の動作を実行するようにする。一以上のコマンド機能を実行したい場合には、ユーザは、これらのステップを繰り返すことができる５１２。
【００２３】
典型的な実施形態においては、テレビジョンは、光ファイバーを採用して、選択したＩＦＲコードを選択したデバイスの赤外線センサに送ることができる。別の典型的な実施形態においては、テレビジョンは、テレビジョンの前に配置された外部反射体に狭幅のＩＦＲビームを放射することができる。小さい半球形状のこの反射体は、ＩＦＲ信号を娯楽センター内のすべてのデバイスに向けて反射させ、選択したデバイスがコマンドコードを受けるようにして、選択した機能を実行する。
【００２４】
ユーザは、テレビジョンリモートコントローラの“ｒｅｔｕｒｎ”機能キー、若しくは“Ｍｅｎｕ”機能キーのいずれかを押すことによってＶＲＣから抜けることができる。このことにより、ユーザが特定のキーを押したとき、動作中のコマンドモードを終了することができ、テレビジョンディスプレイからコマンド図形キーのセットが消去される５１６。
【００２５】
このように、この書面は、テレビジョンメモリ内に少なくとも一つの図形アイコンセットを定義し、アイコンが一緒に表示されて、テレビジョンのメモリに格納されるようにラベル下にあるそれぞれの図形アイコンのセットを分類することによって、テレビジョンを通じて非テレビジョン娯楽デバイスを制御する方法を記載する。それぞれの一連の図形アイコンは、非テレビジョンリモートコントロールデバイスから送信される、特定の非テレビジョンデバイスの機能を表現する機能コードにマッピングされ、前記非テレビジョンデバイスの機能の各々を選択した図形のアイコンに結び付ける。テレビジョンのシステムディスプレイは、ユーザからの要求に応答して、選択した図形アイコンのグループを表示し、前記図形アイコンの一つをテレビジョン画面上で選択したとき、前記テレビジョンに関連する赤外線送信デバイスを介して、非テレビジョンデバイスの機能コードが送信される。非テレビジョン機能コードの送信は、非テレビジョン娯楽デバイスに選択した機能を実行させるように機能する。
【００２６】
ある態様の実施形態においては、ユーザの要求に応じて表示された図形アイコンが高い強度、高コントラストの色で表示され、一つのラベルの下にあるアイコンのグループが、一つの非テレビジョンデバイスに対するアイコンのグループと関連する。テレビジョンメモリは、不揮発性メモリであり、それぞれの一連の図形アイコンに対して、連続的なメモリ領域を確保する。
【００２７】
あるの実施形態においては、送信された赤外線機能コードを取得し、取得したコードと選択したアイコンに関連付け、更新した関連性がテレビジョンのメモリに格納されることによって、結び付けを行うことができる。予め定義された一連の図形アイコンを選択し、以前の定義と異なる一連の非テレビジョン機能コードと結び付けることができる。一連の図形アイコンに対する図形ラベル特定部を修正し、一連のグラフィックアイコンが関連させられている非テレビジョン娯楽デバイスの名前に反映させることができる。
【００２８】
ある実施形態においては、テレビジョンを通じて非テレビジョン娯楽デバイスを制御するシステムは、図形アイコンのセットをテレビジョンディスプレイ上に重ねて表示するために動作しているテレビジョン内のプロセッサと、テレビジョンデバイス内にあるディスプレイ図形アイコンのセットを格納するメモリ領域と、非テレビジョン娯楽デバイスのための制御機能及びそれぞれのデバイスに対するラベルを表示する少なくとも一つの一連の図形アイコンと、を含むものとして記載されている。取得機能は、前記メモリ内に格納するために非テレビジョン娯楽デバイスのＩＦＲ制御コードを取得することができ、結び付け機能は、選択した図形ディスプレイアイコンを、前記メモリ内にある取得した非テレビジョン娯楽デバイスのＩＦＲ制御コードに結び付けることができる。選択機能は、ユーザが少なくとも一つの表示された一連の図形アイコンを選択し、さらに一連の図形アイコンのうち一つを選択するために用いられ、ＩＦＲ送信デバイスは、ユーザに選択された図形のアイコンと関連付けられた非テレビジョン娯楽デバイスのＩＦＲ制御コードを送信するために用いられる。システムは、送信されたＩＦＲ制御コードが動作することにより、非テレビジョン娯楽デバイスが選択した機能を実行するように構成される。
【００２９】
ある実施形態においては、図形ディスプレイアイコンが高輝度で、かつ、高コントラストの色でテレビジョンディスプレイ上に表示される。予め決められたメモリ領域は、不揮発性でそれぞれの一連の図形ディスプレイアイコンのために、連続的なメモリ領域を確保する。予め決められた一連の図形ディスプレイアイコンは、予め決められたものと異なる一連の非テレビジョン機能コードに再びマッピングされ、一連の図形アイコンの図形ラベル特定部が、予め決められた非テレビジョンデバイスの名前の一覧表から選択される。
【００３０】
上述の概要は、詳細な説明に関連して最もよく理解されるような典型的な実施形態を説明することを意図しており、添付の特許請求の範囲の権利範囲若しくは意味を限定する意図はない。
【００３１】
説明に役立つ幾つかの実施形態が記載されているが、多くの代替、修正、置換及び変更が、上述の記載を参考にして、本分野の当業者にとって明らかになることは明らかである。
【符号の説明】
【００３２】
１００ 電源オン／オフ
１０４ 動作
１０８ 一時停止
１１２ 停止
１１６ 先送り
１２０ 章の先送り
１２４ 巻き戻し
１２８ 章の巻き戻し
１３２ 高速先送り
１３６ 高速巻き戻し
１４０ 開く／閉じる／取り出し
２００ ＶＲＣ１
２０４ 図形キーのセット
２０８ ＶＲＣ２
２１２ 図形キーのセット
【図１】
2010004542.tif 000013
【図２】
2010004542.tif 000014
【図３】
2010004542.tif 000015
【図４】
2010004542.tif 000016
【図５】
2010004542.tif 000017
【外国語明細書】
2010004542.tif 000018
2010004542.tif 000019
2010004542.tif 000020
2010004542.tif 000021
2010004542.tif 000022
2010004542.tif 000023
2010004542.tif 000024
2010004542.tif 000025
2010004542.tif 000026
2010004542.tif 000027
2010004542.tif 000028
2010004542.tif 000029
2010004542.tif 000030
2010004542.tif 000031
2010004542.tif 000032
2010004542.tif 000033
2010004542.tif 000034
2010004542.tif 000035
2010004542.tif 000036
2010004542.tif 000037